(57)【要約】【課題】ガスコンロの使用環境を悪化させること無く、使用快適性を向上させる。【解決手段】ガスコンロ１は、平板状の天板２と、天板２に突出した炎孔部３０を備えるバーナー３と、天板２上に配置され被加熱物Ｗの底面部Ｗｔを支持する五徳４とを備え、炎孔部３０は、天板２の後方側に向いた炎孔３０Ａと被加熱物Ｗの底面部Ｗｔを支持する支持部３０Ｃを有し、五徳４は、炎孔３０Ａより天板２の後方側に位置して天板２の前後に延設され、炎孔３０Ａから出射する混合ガスに点火した火炎の燃焼排気を天板２の後方側に導く対向した側面４０Ａを有する一対の五徳体４０を備える。【選択図】図１
2015124915.tif 000002
【特許請求の範囲】
【請求項１】
平板状の天板と、該天板に突出した炎孔部を備えるバーナーと、前記天板上に配置され被加熱物の底面部を支持する五徳とを備え、
前記炎孔部は、前記天板の後方側に向いた炎孔と被加熱物の底面部を支持する支持部を有し、
前記五徳は、前記炎孔より前記天板の後方側に位置して前記天板の前後に延設され、前記炎孔から出射する混合ガスに点火した火炎の燃焼排気を前記天板の後方側に導く対向した側面を有する一対の五徳体を備えることを特徴とするガスコンロ。
【請求項２】
前記炎孔部の支持部と前記一対の五徳体は、前記天板から一定高さの支持面を備え、
前記一対の五徳体の後端間には、前記燃焼排気を前記天板の後方側に送る開放口が形成されていることを特徴とする請求項１記載のガスコンロ。
【請求項３】
前記開放口に対向して前記燃焼排気を回収する回収口が設けられることを特徴とする請求項２記載のガスコンロ。
【請求項４】
前記回収口は、集中排気する排気口を有する排気流路に連通していることを特徴とする請求項３記載のガスコンロ。
【請求項５】
前記回収口は、前記天板下に配置されて燃料ガスと一次空気の一方又は両方を予熱する予熱排気流路に連通していることを特徴とする請求項３記載のガスコンロ。
【請求項６】
前記炎孔部と前記一対の五徳体の前端との間には間隙が形成されていることを特徴とする請求項１〜５のいずれか１項に記載のガスコンロ。
【請求項７】
前記炎孔部は、前記支持部が前記天板と面一の状態で収納自在であり、前記五徳は前記天板の設定位置に着脱自在に取り付けられていることを特徴とする請求項１〜６のいずれか１項に記載のガスコンロ。
【請求項８】
前記一対の五徳体は、平面視が湾曲形状であり、平面視外向き凸の取り付け状態と平面視内向き凸の取り付け状態を置換できるように、２点で前記天板の設定位置に取り付けられていることを特徴とする請求項７記載のガスコンロ。
【請求項９】
前記天板は非磁性体で形成され、前記五徳体には磁石が設置され、前記天板には磁性体が設置されていることを特徴とする請求項８記載のガスコンロ。
【発明の詳細な説明】
【技術分野】
【０００１】
本発明は、ガスコンロに関するものである。
【背景技術】
【０００２】
ガスコンロは、一般に、本体の天板上にバーナーの炎孔部を突出させて設け、その周囲に被加熱物の底（鍋底など）を支持する五徳を配置する構造を備えている。五徳は、通常天板に対して取り外し自在に設けられ、天板には五徳を一定の位置に保持するための凹凸部が設けられている（下記特許文献１参照）。
【先行技術文献】
【特許文献】
【０００３】
【特許文献１】特開２０１３−５７４６１号公報
【発明の概要】
【発明が解決しようとする課題】
【０００４】
従来のガスコンロは、炎孔が３６０°放射状に配置されており、五徳に被加熱物を載置した状態であっても周囲から火炎がみえる状態で加熱がなされる。このため、燃焼排気がコンロの周囲に放出されることになると共に火炎の輻射熱がガスコンロの周囲に伝搬して室内温度を上昇させることになり、ガスコンロの使用環境を悪化させる問題が生じる。特に、使用者が立つガスコンロの前方側にも燃焼排気が拡がり火炎の輻射熱が伝搬するので、使用者の快適性が妨げられる問題があった。
【０００５】
また、従来のガスコンロは、前述したように燃焼排気が周囲に放出されるので、燃焼排気の熱を回収して再利用することができない。すなわち、高温の排熱を有効に使用することができず、熱効率を向上させることが難しいという問題がある。
【０００６】
また、従来のガスコンロは、天板の上面にバーナー炎孔部の突出や五徳を保持するための凹凸があるため、煮こぼれなどで天板が汚れた場合の清掃を簡易に行うことができない問題があり、また、天板上をフラット化した良好な外観性を得ることができない問題があった。
【０００７】
本発明は、このような問題に対処することを課題の一例とするものである。すなわち、燃焼排気の集中排気を可能にすることで、ガスコンロの使用環境を悪化させること無く、使用快適性を向上させること、高温の排熱を有効に使用して熱効率を向上させること、ガスコンロの天板を平面化することで、清掃の容易性を得ると共に良好な外観性を得ること、などが本発明の目的である。
【課題を解決するための手段】
【０００８】
このような目的を達成するために、本発明によるガスコンロは、以下の構成を少なくとも具備するものである。
【０００９】
平板状の天板と、該天板に突出した炎孔部を備えるバーナーと、前記天板上に配置され被加熱物の底面部を支持する五徳とを備え、前記炎孔部は、前記天板の後方側に向いた炎孔と被加熱物の底面部を支持する支持部を有し、前記五徳は、前記炎孔より前記天板の後方側に位置して前記天板の前後に延設され、前記炎孔から出射する混合ガスに点火した火炎の燃焼排気を前記天板の後方側に導く対向した側面を有する一対の五徳体を備えることを特徴とするガスコンロ。
【発明の効果】
【００１０】
このような特徴を有するガスコンロは、炎孔から出射する混合ガスに点火した火炎の燃焼排気を天板の後方側に集中排気することができるので、ガスコンロの使用環境を悪化させること無く、使用快適性を向上させることができる。また、後方に集中した排気を回収することで、高温の排熱を有効に使用して熱効率を向上させることができる。また、炎孔部の収納や五徳を着脱自在にすることで、平板状の天板により清掃の容易性と良好な外観性確保が可能になる。
【図面の簡単な説明】
【００１１】
【図１】本発明の一実施形態に係るガスコンロを示した説明図である（（ａ）が平面図であり、（ｂ）が部分断面図である。）。
【図２】バーナーの炎孔部の一例を示しており、これを後方側からみた説明図である。
【図３】本発明の他の実施形態に係るガスコンロを示している（（ａ）が平面図であり、（ｂ）が部分断面図である。）。
【図４】本発明の他の実施形態に係るガスコンロを示している。
【図５】本発明の他の実施形態に係るガスコンロを示している（（ａ）が平面図であり、（ｂ）が部分断面図である。）。
【図６】本発明の他の実施形態に係るガスコンロを示している。
【図７】本発明の他の実施形態に係るガスコンロを示した説明図である（（ａ）が平面図であり、（ｂ）が部分断面図である。）。
【発明を実施するための形態】
【００１２】
以下、図面を参照しながら、本発明の実施形態を説明する。図１は本発明の一実施形態に係るガスコンロを示した説明図である（（ａ）が平面図であり、（ｂ）が部分断面図である。）。なお、本明細書、図面、特許請求の範囲における「前」又は「前方」とは、ガスコンロに対してその使用者が立つ側を指し、「後」又は「後方」とは、ガスコンロにおける「前」又は「前方」と対向する側を指す。また、「左」，「右」とは使用者がガスコンロに向いた状態で使用者側からみた左右を指している。
【００１３】
ガスコンロ１は、天板２、バーナー３、五徳４を備える。天板２は、平板状であり、本体１０の上部を構成している。天板２は、耐熱性の材料、例えば、ジュラルミンなどで形成することができる。バーナー３は、天板２に突出した炎孔部３０を備え、炎孔部３０に混合ガスを供給する燃料供給部３１を備えている。燃料供給部３１はガスノズル５から噴射される燃料ガスと一次空気とを混合して混合ガスを形成する。炎孔部３０は、天板２のやや前方側に位置して、天板２の後方側に向いた炎孔３０Ａを有する。炎孔部３０には、炎孔３０Ａが開口した側に必要に応じて立ち消え温度センサ３２を設けることができる。なお、バーナー３には、一般的なガスコンロのバーナーが備える点火装置やバルブ機構を付加することができる。
【００１４】
図２は、バーナー３の炎孔部３０の一例を示しており、これを後方側からみた図である。炎孔部３０は、後方に向けて混合ガスを出射するスリット状の炎孔３０Ａを複数備えている。また、炎孔３０Ａの上部には、空気流路３０Ｂが形成され、その上に被加熱物の底面部を支持する支持面３０Ｃ１を有する支持部３０Ｃが設けられている。炎孔３０Ａの上部にはスペーサ３０Ｂ１を介して支持部３０Ｃを設けることで、支持部３０Ｃの下に空気流路３０Ｂが形成されている。
【００１５】
五徳４は、図１に示すように、炎孔３０Ａより天板２の後方側に位置して天板２の前後に延設され、炎孔３０Ａから出射する混合ガスに点火した火炎の燃焼排気を天板２の後方側に導く対向した側面４０Ａを有する一対の五徳体４０を備える。五徳体４０は、流線状に湾曲した側面４０Ａを有すると共に、鍋などの被加熱物Ｗの底面部Ｗｔを支持する平面状の支持面４０Ｂを備えている。
【００１６】
このようなガスコンロ１は、天板２上に突出した炎孔部３０の支持面３０Ｃ１と一対の五徳体４０の支持面４０Ｂとで被加熱物Ｗの底面部Ｗｔを支持している。炎孔部３０の炎孔３０Ａは、天板２の左右に直線的に配列されており、一対の五徳体４０の前端間に配置されている。
【００１７】
炎孔部３０の支持面３０Ｃ１と一対の五徳体４０の支持面４０Ｂに被加熱物Ｗの底面部Ｗｔを支持した状態では、被加熱物Ｗの底面部Ｗｔと五徳体４０の側面４０Ａと平板状の天板２で囲まれた空間が形成されることになり、その空間の前方側に炎孔３０Ａが配置されている。これによって、前述した空間が炎孔３０Ａに形成される火炎の燃焼排気を後方に流す流路を形成することになり、燃焼排気をガスコンロ１の周囲に拡散させず後方に集めることが可能になる。また、炎孔部３０と一対の五徳体４０の前端との間には間隙Ｓが形成されている。この間隙Ｓは、前述した空間に二次空気を流入させるためのものであり、炎孔３０Ａから出射する混合ガスによる引き込み効果で間隙Ｓから二次空気が前述した空間内に流入する。
【００１８】
また、炎孔部３０の支持面３０Ｃ１と一対の五徳体４０の支持面４０Ｂに被加熱物Ｗの底面部Ｗｔを支持した状態では、底面部Ｗｔと支持面３０Ｃ１，４０Ｂとの密着によって、火炎が炎孔部３０や五徳体４０の外側に溢れるのを遮蔽することができる。これによってガスコンロ１の前方又は側方からは火炎が見えない状態になり、火炎からの輻射熱を効果的に遮蔽することが可能になる。
【００１９】
ガスコンロ１は、図１に示すように、炎孔部３０の支持部３０Ｃと一対の五徳体４０が天板２から一定高さの支持面３０Ｃ１，４０Ｂを備え、一対の五徳体４０の後端間には、燃焼排気を天板２の後方側に送る開放口４１が形成されている。このような構成を備えることで、前述した空間を経由した燃焼排気が開放口４１を通って天板２の後方側に集中的に排気されることになる。
【００２０】
図３〜図６は、本発明の他の実施形態に係るガスコンロを示している。前述した実施形態と同一の部位には同一符号を付して重複説明を省略する。図３〜図６に示したガスコンロ１Ａ，１Ａ１，１Ａ２，１Ｂ，１Ｂ１，１Ｂ２はそれぞれ、一対の五徳体４０の後端間に形成される開放口４１に対向して燃焼排気を回収する回収口６が設けられている。
【００２１】
図３（（ａ）が平面図であり、（ｂ）が部分断面図である。）に示したガスコンロ１Ａは、回収口６が集中排気する排気口７を有する排気流路７０に連通している。炎孔部３０の炎孔３０Ａから出射する混合ガスに点火した火炎の燃焼排気は、前述したように被加熱物Ｗの底面部Ｗｔと五徳体４０の側面４０Ａと平板状の天板２で囲まれた空間を経由して開放口４１から後方に送られることになるが、開放口４１を出た燃焼排気は、回収口６内に回収され排気流路７０を通って、例えば室外などに向けられる排気口７から放出される。
【００２２】
図４は、図３に示したガスコンロ１Ａの変形例を示している。図４（ａ）に示したガスコンロ１Ａ１は、排気流路７０が天板２下の本体１０内に設けられ、排気口７が本体１０の後方に設けられている。図４（ｂ）に示したガスコンロ１Ａ２は、排気流路７０が天板２下の本体１０内に設けられ、本体１０内に設けられるグリルなどの内部加熱器Ｇの排気流路と合流して天板２上の排気口７に連通している。図４に示したガスコンロ１Ａ１，１Ａ２は、必要に応じて排気口７の内側又は外側に排気ファン７１を設けることによって、より効率的な排気が可能になる。排気ファン７１を駆動する電力は、別途設けられる電源への接続によって得ることができるが、その他にも、高温になった天板２の熱を利用した熱電素子による電源供給によることもできる。
【００２３】
図５（（ａ）が平面図であり、（ｂ）が部分断面図である。）に示したガスコンロ１Ｂは、一対の五徳体４０の後端間に形成される開放口４１に対向して燃焼排気を回収する回収口６が、天板２下に配置される予熱排気流路８に連通している。予熱排気流路８は、ガスノズル５に燃料ガスを供給するガス供給ライン５Ａに対して熱交換可能なように延設されている。予熱排気流路８に流入した燃焼排気は、熱交換部８Ａを通過する間にガス供給ライン５Ａを通過する燃料ガスを予熱する。この実施形態に係るガスコンロ１Ｂは、回収した燃焼排気の熱を燃料ガスの予熱に用いることで、高温の排熱を有効に使用して熱効率を向上させることができる。
【００２４】
図６に示した例は図５に示した例の変形例を示している。図６（ａ）に示したガスコンロ１Ｂ１は、天板２下の本体１０内に配置される予熱排気流路８を通って排気される燃焼排気の熱で、バーナー３の燃料供給部３１に送る一次空気を予熱している。具体的には、バーナー３の燃料供給部３１に一次空気流入口９Ａから流入した一次空気を送る一次空気流路９を、本体１０内に配置した予熱排気流路８の熱交換部８Ａ内に通している。このガスコンロ１Ｂ１は、回収した燃焼排気の熱を一次空気の予熱に用いることで、高温の排熱を有効に使用して熱効率を向上させることができる。
【００２５】
図６（ｂ）に示したガスコンロ１Ｂ２は、天板２下の本体１０内に配置される予熱排気流路８を通って排気される燃焼排気の熱で、バーナー３の燃料供給部３１に送る燃料ガスと一次空気の両方を予熱している。具体的には、バーナー３の燃料供給部３１に一次空気を送る一次空気流路９の内部にガス供給ライン５Ａを配置して、この一次空気流路９とガス供給ライン５Ａの２重管を本体１０内に配置した予熱排気流路８の熱交換部８Ａ内に通している。このガスコンロ１Ｂ２は、回収した燃焼排気の熱を燃料ガスと一次空気の両方の予熱に用いることで、高温の排熱を有効に使用して熱効率を向上させることができる。図６に示したガスコンロ１Ｂ１，１Ｂ２も、図４に示した例と同様に必要に応じて排気口７の内側又は外側に排気ファン７１を設けることによって、より効率的な排気が可能になる。
【００２６】
図７は本発明の他の実施形態に係るガスコンロを示した説明図である（（ａ）が平面図であり、（ｂ）が部分断面図である。）。前述した実施形態と同一の部位には同一符号を付して重複説明を省略する。この実施形態に係るガスコンロ１Ｃは、炎孔部３０の支持部３０Ｃが天板２と面一の状態で収納自在であり、五徳４（五徳体４０）が天板２の設定位置に着脱自在に取り付けられている。具体的には、天板２は非磁性体の材料（例えばジュラルミンなど）で形成されており、五徳４を取り付ける設定位置に磁性体２０が設置されている。また、五徳体４０，４２には、磁性体２０に吸着する磁石４３が設置されている。これによって、五徳４は天板２の設定された位置に固定することができ、また、五徳４を天板２から簡易に取り外すことができる。図７に示した例では、五徳４は、被加熱物の底面部中央を支持する五徳体４２を備えている。この五徳体４２は、燃焼排気の後方への流れを阻害しない流線形の側面を有している。
【００２７】
このようなガスコンロ１Ｃは、天板２から五徳４を取り外して、バーナー３の炎孔部３０を収納して、炎孔部３０の支持部３０Ｃを天板２と面一にすることで、天板２上を平面化することができる。このように、非使用時に天板２上を平面化することで、天板２上の清掃を簡易に行うことができる。また、天板２のフラット化によって非使用時の美観を向上させることができる。
【００２８】
また、図７に示したガスコンロ１Ｃは、一対の五徳体４０が、平面視が湾曲形状であり、平面視外向き凸の取り付け状態と平面視内向き凸の取り付け状態を置換できるように、２点で天板２の設定位置に取り付けられている。このように一対の五徳体４０を固定すると、五徳体４０を図示の実線で示した平面視外向き凸の湾曲状態で取り付けることで、比較的外径の大きい底面部Ｗｔ（１）を安定的に支持することが可能になり、五徳体４０を図示の一点破線で示した平面視内向き凸の湾曲状態で取り付けることで、比較的外径の小さい底面部Ｗｔ（２）を安定的に支持することが可能になる。このように、ガスコンロ１Ｃは、底面部の外径が異なる被加熱物を安定的に支持することが可能になる。
【００２９】
以上説明したように、本発明の実施形態に係るガスコンロ１〜１Ｃは、炎孔３０Ａから出射する混合ガスに点火した火炎の燃焼排気を天板２の後方側に集中排気することができるので、ガスコンロ１〜１Ｃの使用環境を悪化させること無く、使用快適性を向上させることができる。また、後方に集中した排気を回収することで、高温の排熱を有効に使用して熱効率を向上させることができる。また、炎孔部３０の収納や五徳４を着脱自在にすることで、平板状の天板２により清掃の容易性と良好な外観性確保が可能になる。
【００３０】
特に、本発明の実施形態に係るガスコンロ１〜１Ｃは、後方向きに火炎を形成する炎孔３０Ａを有する炎孔部３０に支持部３０Ｃが設けられ、その支持面３０Ｃ１に被加熱物Ｗの底面部Ｗｔが支持されるので、前方に向かう火炎を遮蔽した状態で被加熱物Ｗを加熱することができる。これによって、ガスコンロ１〜１Ｃの前方側に立つ使用者に火炎の輻射熱や燃焼排気が向かうことを効果的に抑止でき、良好な使用快適性を得ることができる。
【００３１】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００３２】
１，１Ａ，１Ａ１，１Ａ２，１Ｂ，１Ｂ１，１Ｂ２，１Ｃ：ガスコンロ，
１０：本体，
２：天板，２０：磁性体，
３：バーナー，３０：炎孔部，
３０Ａ：炎孔，３０Ｂ：空気流路，３０Ｃ：支持部，３０Ｃ１：支持面，
３１：燃料供給部，３２：立ち消え温度センサ，
４：五徳，４０，４２：五徳体，４０Ａ：側面，４０Ｂ：支持面，
４１：開放口，４３：磁石，
５：ガスノズル，５Ａ：ガス供給ライン
６：回収口，７：排気口，７０：排気流路，７１：排気ファン，
８：予熱排気流路，８Ａ：熱交換部，
９：一次空気流路，９Ａ：一次空気流入口，
Ｓ：間隙，Ｗ：被加熱物，Ｗｔ：底面部
【図１】
2015124915.tif 000003
【図２】
2015124915.tif 000004
【図３】
2015124915.tif 000005
【図４】
2015124915.tif 000006
【図５】
2015124915.tif 000007
【図６】
2015124915.tif 000008
【図７】
2015124915.tif 000009